(57)【要約】【課題】  フォトインタラプタを低コストで容易に組み込むことが可能で、高い精度でレンズの位置検出可能なレンズ鏡筒を提供する。【解決手段】  フォトインタラプタ８を鏡筒地板１に取り付けられる固定枠２の固定枠弾性部２ａにより、フォトインタラプタ当接部１ｂに押圧固定する。【選択図】  図５
2010175806.tif 000002
【特許請求の範囲】
【請求項１】
光軸方向に進退動するレンズの位置検出用のフォトセンサを有するレンズ鏡筒において、鏡筒部品の一つに挿入され保持された前記フォトセンサを、移動枠を光軸方向に進退動可能に保持し、かつ前記フォトセンサが挿入され保持された前記鏡筒部品に取り付けられる固定筒に一体形成された弾性部材によって前記鏡筒部品へ押圧していることを特徴とするレンズ鏡筒。
【請求項２】
光軸方向に進退動するレンズの位置検出用のフォトセンサを有するレンズ鏡筒において、鏡筒部品の一つに挿入され保持された前記フォトセンサを、前記鏡筒部品に保持された特定の波長の光線を遮断する光学素子を固定し、かつ前記鏡筒部品に取り付けられる鏡筒部品に一体形成された弾性部材によって前記鏡筒部品へ押圧していることを特徴とするレンズ鏡筒。
【請求項３】
前記フォトセンサを保持する前記鏡筒部品は撮像素子を保持することを特徴とする、請求項１または請求項２に記載のレンズ鏡筒。
【請求項４】
前記フォトセンサは前記鏡筒部品に圧入され保持されていることを特徴とする、請求項１または請求項２に記載のレンズ鏡筒。
【発明の詳細な説明】
【技術分野】
【０００１】
本発明は光軸方向に進退動するレンズの位置検出用としてフォトセンサを使用するレンズ鏡筒に関するものである。
【背景技術】
【０００２】
レンズ鏡筒が用いられるビデオカメラやスチルカメラ等には、ズームレンズやフォーカスレンズ等の光軸方向へ移動可能な各種のレンズが設けられている（例えば、特許文献１参照）。
【０００３】
これらのレンズの位置は、直接レンズの位置もしくはレンズに付随して進退動する鏡筒部品の位置を検出する場合やフォトインタラプタ等の検出素子によって、例えば、ズーム用モーターの回転位置等を検出することにより検知する場合がある。
【０００４】
従って、フォトインタラプタ等の検出素子は、レンズを進退動可能に保持する鏡筒部品やズーム用モーターを保持する鏡筒部品に形成された素子取り付け部に取り付けられ、鏡筒部品に保持されたレンズ位置や鏡筒部品に配置されたズーム用モーターの回転位置等が検出素子によって検出される。
【０００５】
レンズ位置の検出には非常に高い精度が求められるため、取り付け後に動かないような固定が必要である。
【０００６】
従来の撮像装置においては、検出素子が鏡筒部品の素子取り付け部に挿入され接着剤によって固定されていた。
【０００７】
また接着剤を用いずに検出素子を固定する方法として専用部品を用いる方法（特許文献2参照）、鏡筒部品で挟み込む方法（特許文献３参照）がある。
【特許文献１】特開２００２−１０７５９８号公報
【特許文献２】特開２００８−１７０７９５号公報
【特許文献３】特開平６−１６０６７０号公報
【発明の開示】
【発明が解決しようとする課題】
【０００８】
ところが、従来の撮像装置にあっては、上記したように、検出素子が接着剤によって鏡筒部品に取り付けられているため、接着剤の塗布時に接着剤が飛散したり浸潤したりすることがあり、レンズ面や各モーター等に接着剤が付着するという問題や接着剤の量などにより充分な固定がされないという問題が生じていた。
【０００９】
また、接着剤の硬化時間や接着剤の塗布のための専用の治具が必要となり、組み立て時間が長くなり組み立てコストが高騰する等の問題もある。
【００１０】
特許文献２で示された方法では専用部品が必要なため、部品コストが高騰する問題がある。
【００１１】
特許文献３で示された方法では専用部品は必要ないが、２つの部品で挟み込むまで検出素子が保持されないため、組み立て作業性が低下する問題がある。
【００１２】
そこで、本発明のレンズ鏡筒は、上記した問題点を克服し、組み立て作業の簡素化と高い精度でのレンズの位置検出等を図ることを目的とする。
【課題を解決するための手段】
【００１３】
上記課題を解決するために、請求項１に記載の発明に係るレンズ鏡筒は、光軸方向に進退動するレンズの位置検出用のフォトセンサを有するレンズ鏡筒において、鏡筒部品の一つに挿入され保持された前記フォトセンサを、移動枠を光軸方向に進退動可能に保持し、かつ前記フォトセンサが挿入され保持された前記鏡筒部品に取り付けられる固定筒に一体形成された弾性部材によって前記鏡筒部品へ押圧することを特徴とするレンズ鏡筒である。
【００１４】
請求項２に記載の発明に係るレンズ鏡筒は、光軸方向に進退動するレンズの位置検出用のフォトセンサを有するレンズ鏡筒において、鏡筒部品の一つに挿入され保持された前記フォトセンサを、前記鏡筒部品に保持された特定の波長の光線を遮断する光学素子を固定し、かつ前記鏡筒部品に取り付けられる鏡筒部品に一体形成された弾性部材によって前記鏡筒部品へ押圧することを特徴とするレンズ鏡筒である。
【００１５】
請求項３に記載の発明に係るレンズ鏡筒は、前記フォトセンサを保持する前記鏡筒部品は撮像素子を保持することを特徴とする、請求項１または請求項２に記載のレンズ鏡筒である。
【００１６】
請求項４に記載の発明に係るレンズ鏡筒は、前記フォトセンサは前記鏡筒部品に圧入され保持されていることを特徴とする、請求項１または請求項２に記載のレンズ鏡筒である。
【発明の効果】
【００１７】
請求項１に記載の発明によれば、鏡筒部品の１つに挿入保持されたフォトセンサを前記鏡筒部品の１つに取り付けられる固定筒の弾性部によって押圧固定されるため、接着や専用部品が不要になり安価なレンズ鏡筒が提供できる。
【００１８】
またフォトセンサが固定筒によって押圧固定される前に鏡筒部品の１つに挿入保持されているので組み立て作業性も良い。
【００１９】
請求項２に記載の発明によれば、鏡筒部品の１つに挿入保持されたフォトセンサを前記鏡筒部品の１つに取り付けられる特定の波長の光線を遮断する光学素子を固定し、かつ前記鏡筒部品に取り付けられる鏡筒部品の弾性部によって押圧固定される。
【００２０】
そのため、接着や専用部品が不要になり安価なレンズ鏡筒が提供できる。
【００２１】
またフォトセンサが固定筒によって押圧固定される前に鏡筒部品の１つに挿入保持されているので組み立て作業性も良い。
【００２２】
請求項３に記載の発明によれば、フォトセンサが挿入保持された鏡筒部品の１つが撮像素子も保持しているため、撮像素子とレンズを高い精度で位置検出可能となる。
【００２３】
請求項４に記載の発明によれば、フォトセンサが押圧固定される前に、鏡筒部品の１つに圧入保持されているため、押圧固定される前にフォトセンサが脱落しづらくなり組み立て作業性がよくなる。
【発明を実施するための最良の形態】
【００２４】
以下に、本発明を実施するための最良の形態を添付図面に従って説明する。
【００２５】
以下に示した最良の形態は、本発明をスチルカメラに適用したものである。尚、本発明の適用範囲はスチルカメラに限られることはなく、例えば、ビデオカメラや他の機器に組み込まれた各種の撮像装置に広く適用することができる。
【００２６】
図１は、本発明を用いたレンズ鏡筒の一部の斜視図であり、図２は正面図である。
【実施例１】
【００２７】
図３、図４は請求項１、請求項３、請求項４記載の発明の実施例を示し、図３は沈胴状態、図４は撮影状態の断面図である。
【００２８】
図３、図４において、１は鏡筒地板、２は鏡筒地板１に取り付けられる固定枠、３は固定枠２に保持される移動枠、４は移動枠３に保持される直進枠、５は光軸方向に進退動するレンズ、６はレンズ５を保持するレンズ枠、７は鏡筒地板１に保持された撮像素子、８は鏡筒地板１に挿入されたフォトインタラプタである。
【００２９】
図５は図３のフォトインタラプタ８周辺の拡大図である。
【００３０】
図５において、９はフォトインタラプタ８を電気的に接続するフレキシブルケーブルである。
【００３１】
移動枠３は固定枠２に光軸中心に回転可能にかつ光軸方向に進退動可能に保持されている。
【００３２】
移動枠３は図示されないレンズ群を光軸方向に進退動可能に保持している。
【００３３】
直進枠４は移動枠３と一体で光軸方向に進退動し、固定枠２によって光軸中心に回転不可能に規制されている。
【００３４】
直進枠４はフォトインタラプタ遮光部４ａを有し、フォトインタラプタ遮光部４ａがフォトインタラプタ８を遮光することにより撮影状態と沈胴状態の判別を行っている。
【００３５】
鏡筒の組み立てに当り、まずフォトインタラプタ８を鏡筒地板１に挿入する。
【００３６】
このときフォトインタラプタ８は鏡筒地板１に対して圧入保持されていることが望ましい。
【００３７】
次いで、図５のように固定枠２を光軸方向に鏡筒地板１に組み込むとき、固定枠弾性部２ａが鏡筒地板保護部１ａを乗り上げ、固定枠弾性部２ａがフレキシブルケーブル９の位置で固定される。
【００３８】
このとき、フォトインタラプタ８は固定枠弾性部２ａにより、フォトインタラプタ当接部１ｂに押圧固定される。
【実施例２】
【００３９】
図６、図７は請求項２、請求項３、請求項４記載の発明の実施例を示し、図６は沈胴状態、図７は撮影状態の断面図である。
【００４０】
図６、図７において、１は鏡筒地板、２は鏡筒地板１に取り付けられる固定枠、３は固定枠２に保持される移動枠、４は移動枠３に保持される直進枠、５は光軸方向に進退動するレンズ、６はレンズ５を保持するレンズ枠、７は鏡筒地板１に保持された撮像素子、１０は鏡筒地板１に挿入されたフォトインタラプタ、１１は撮像素子７の光軸方向前方に配置された赤外カットフィルタ、１２は赤外カットフィルタ１１を鏡筒地板１に固定するマスク板である。
【００４１】
図８は図６のフォトインタラプタ１０周辺の拡大図である。
【００４２】
図８において、１３はフォトインタラプタ１０を電気的に接続するフレキシブルケーブルである。
【００４３】
レンズ枠６は鏡筒地板１に保持された図示されないガイド軸によって光軸方向に進退動可能に保持されている。
【００４４】
レンズ枠６はフォトインタラプタ遮光部６ａを有し、フォトインタラプタ遮光部６ａがフォトインタラプタ１０を遮光することにより撮影状態と沈胴状態の判別を行っている。
【００４５】
鏡筒の組み立てに当り、まずフォトインタラプタ１０を鏡筒地板１に挿入する。
【００４６】
このときフォトインタラプタ１０は鏡筒地板１に対して圧入保持されていることが望ましい。
【００４７】
次いで、図８のようにマスク板１２を光軸方向に鏡筒地板１に組み込むとき、マスク板弾性部１２ａがフレキシブルケーブル１３の位置で固定される。
【００４８】
このとき、フォトインタラプタ１０はマスク板弾性部１２ａにより、フォトインタラプタ当接部１ｃに押圧固定される。
【００４９】
図９は請求項２、請求項３、請求項４記載の発明におけるフォトインタラプタ周辺の正面図である。
【００５０】
図１０は鏡筒地板１とマスク板１２の係止部拡大図である。
【００５１】
係止部１ｄとマスク板係止部１２ｂ、係止部１ｅとマスク板係止部１２ｃがそれぞれ係止され、鏡筒地板１とマスク板１２がはずれないようになっている。
【００５２】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００５３】
【図１】本発明の実施例を示す部分のレンズ鏡筒の斜視図である。
【図２】本発明の実施例を示す部分のレンズ鏡筒の正面図である。
【図３】請求項１、３、４に記載の発明の沈胴状態断面図である。
【図４】請求項１、３、４に記載の発明の撮影状態断面図である。
【図５】請求項１、３、４に記載の発明におけるフォトインタラプタ周辺の沈胴状態拡大断面図である。
【図６】請求項２、３、４に記載の発明の沈胴状態断面図である。
【図７】請求項２、３、４に記載の発明の撮影状態断面図である。
【図８】請求項２、３、４に記載の発明におけるフォトインタラプタ周辺の沈胴状態拡大断面図である。
【図９】請求項２、３、４に記載の発明におけるフォトインタラプタ周辺の正面図である。
【図１０】図９の側面図である。
【符号の説明】
【００５４】
１  鏡筒地板
１ａ  鏡筒地板保護部
１ｂ  フォトインタラプタ当接部
１ｃ  フォトインタラプタ当接部
１ｄ  係止部
１ｅ  係止部
２  固定筒
２ａ  固定枠弾性部
３  移動枠
４  直進枠
４ａ  フォトインタラプタ遮光部
５  レンズ
６  レンズ枠
６ａ  フォトインタラプタ遮光部
７  撮像素子
８  フォトインタラプタ
９  フレキシブルケーブル
１０  フォトインタラプタ
１１  赤外カットフィルタ
１２  マスク板
１２ａ  マスク板弾性部
１２ｂ  マスク板係止部
１２ｃ  マスク板係止部
１３フレキシブルケーブル
【図１】
2010175806.tif 000003
【図２】
2010175806.tif 000004
【図３】
2010175806.tif 000005
【図４】
2010175806.tif 000006
【図５】
2010175806.tif 000007
【図６】
2010175806.tif 000008
【図７】
2010175806.tif 000009
【図８】
2010175806.tif 000010
【図９】
2010175806.tif 000011
【図１０】
2010175806.tif 000012